(57)【要約】【課題】外刃と隣接してリブが設けられた電気かみそりにおいて、肌当たりを良くする。【解決手段】かみそり本体３の刃面４ａに、外刃２と当該外刃２の延在方向（左右方向）Ｙと直交する前後方向（直交方向）Ｘに外刃２と隣接して肌ガード部材（リブ）３０とが設けられた電気かみそり１において、外刃２の延在方向Ｙの両側に露出する外刃枠２５ａ（２５ｅ）の天壁面５１ａと、肌ガード部材３０の天壁面３５ｂとを、滑らかな曲面を含む同一面で繋げるようにする。【選択図】図４
2012100869.tif 000002
【特許請求の範囲】
【請求項１】
かみそり本体の刃面に、外刃と当該外刃の延在方向と直交する直交方向に前記外刃と隣接してリブとが設けられた電気かみそりにおいて、
前記外刃の延在方向の両側に露出する外刃枠の天壁面と、前記リブの天壁面とを、滑らかな曲面を含む同一面で繋げたことを特徴とする電気かみそり。
【発明の詳細な説明】
【技術分野】
【０００１】
本発明は、電気かみそりに関する。
【背景技術】
【０００２】
従来の電気かみそりとして例えば特許文献１には、かみそり本体の刃面に、外刃と当該外刃の延在方向と直交するかみそり本体の剃り方向に前記外刃と隣接してリブとを設けたものが知られている。
【０００３】
この特許文献１では、外刃としての隣り合うネット刃間に上述のリブとしての肌ガード部材を設けることで、隣接するネット刃間への肌の入り込みを防止して肌当たりを良くすることができるようになっている。
【先行技術文献】
【特許文献】
【０００４】
【特許文献１】特許第４２０７０８０号公報
【発明の概要】
【発明が解決しようとする課題】
【０００５】
しかしながら、上記従来の電気かみそりにあっては、外刃の延在方向の両側に露出する外刃枠と上述のリブとしての肌ガード部材との間には溝や段差が形成されており、使用者にこの溝や段差によってごつごつ感を与え、肌当たりが良くないという不具合があった。
【０００６】
そこで、本発明は、外刃と隣接してリブが設けられた電気かみそりにおいて、肌当たりを良くすることを目的とする。
【課題を解決するための手段】
【０００７】
上記目的を達成するために、本発明の電気かみそりにあっては、かみそり本体の刃面に、外刃と当該外刃の延在方向と直交する直交方向に前記外刃と隣接してリブとが設けられた電気かみそりにおいて、前記外刃の延在方向の両側に露出する外刃枠の天壁面と、前記リブの天壁面とを、滑らかな曲面を含む同一面で繋げたことを特徴とする。
【発明の効果】
【０００８】
本発明によれば、外刃枠の天壁面とリブの天壁面とを滑らかな曲面を含む同一面で繋げたため、使用者に溝や段差によってごつごつ感を与えるのを抑制でき、肌当たりを良くすることができる。
【図面の簡単な説明】
【０００９】
【図１】本発明の第１実施形態にかかる電気かみそりを示した正面図である。
【図２】本発明の第１実施形態にかかる電気かみそりの刃面を示した斜視図である。
【図３】図２に示す刃面の平面図である。
【図４】図２に示す刃面の外刃（ネット刃）を分解した斜視図である。
【図５】図４に示す外刃（ネット刃）の平面図である。
【図６】図５のＡ−Ａ断面図である。
【図７】従来の刃面の外刃（ネット刃）を分解した斜視図である。
【発明を実施するための形態】
【００１０】
以下、本発明の実施形態について図面を参照しつつ詳細に説明する。図１〜図６は、本発明の第１実施形態にかかる電気かみそりを示した図である。なお、以下では、外刃が延在する方向を左右方向Ｙとして説明する。また、複数の外刃が並設される方向を前後方向（外刃の延在方向と直交する直交方向：剃り方向）Ｘ、外刃が上方を向くようにヘッド部を配置した状態における上下方向を上下方向（直交方向に垂直な方向）Ｚとして説明する。
【００１１】
図１に示すように、本実施形態の電気かみそり１は、かみそり本体３と、かみそり本体３の先端（上端）に設けられる刃部４と、刃部４を動作させる図示せぬ駆動部と、を主体に構成されている。
【００１２】
かみそり本体３は、本実施形態では使用者が把持するグリップ部７と、該グリップ部７に連結されるヘッド部５とに分割されており、体毛を処理する刃部４が前記ヘッド部５に、駆動部により刃部４を動作させる（電源をオン、オフさせる）押圧式のスイッチ９が前記グリップ部７に設けられている。
【００１３】
図２に示すように、刃部４は、ヘッド部５の上方に露出して設けられる外刃２と、この外刃２の内方（外刃２の下側）に配設される内刃（図示せぬ）とにより構成される。そして、外刃２の刃穴２ａより取り込んだ体毛を、内刃が外刃２に対して相対移動（外刃２の延在方向（左右方向）Ｙに往復動）することで、これら内刃と外刃１１とが協働して体毛を切断するようになっている。
【００１４】
ヘッド部５は、グリップ部７に取り付けられるヘッド部本体３０と、このヘッド部本体３０に着脱自在に装着される刃フレーム部５０とを備えている。
【００１５】
刃フレーム部５０は、図２に示すように、複数の外刃２を上下動自在に備えた箱型の外刃カセット５１と、この外刃カセット５１を下側から収納して装着させることで外刃カセット５１の側方を全周に亘って覆い隠す筒型の外周枠５２とを備えている。
【００１６】
外刃カセット５１の複数の外刃２は、前後方向Ｘに並設される。本実施形態では、５枚（複数）の外刃２によって電気かみそり１の刃面４ａが形成されており、第１のネット刃２１、第２のネット刃２２、スリット刃２０、第３のネット刃２３、第４のネット刃２４が刃面４ａの前方（図２の手前側）から後方（図２の奥側）にこの順で並んでいる。
【００１７】
第１〜第４のネット刃２１〜２４は、何れも側面視（左右方向Ｙに外刃を視た状態）で上方が凸となるように前後方向Ｘに沿って逆Ｕ字状に湾曲して形成されている。このネット刃２１〜２４には、桟によって多数の刃穴２ａが画成されている。
【００１８】
また、本実施形態では、第２および第３のネット刃２２、２３の刃幅（前後方向Ｘの幅）が、第１および第４のネット刃２１、２４の刃幅（前後方向Ｘの幅）よりも小さくなるように形成されている。このように、ネット刃２２、２３の刃幅をネット刃２１、２４の刃幅に比して小さく（即ち、ネット刃２２、２３の曲率半径を小さく）設けることで、表面に押し付けた肌を刃穴２ａから大きく内側に突出させて体毛を短く剃ることができるようにしている。つまり、本実施形態では、この第２および第３のネット刃２２、２３は、仕上げ用のネット刃として用いられる。
【００１９】
スリット刃２０は、図２に示すように、前後方向Ｘに沿ってコ字状に湾曲形成されており、平坦な上壁から側壁に至る多数のスリット２ａを穿設することで形成されている。すなわち、スリット刃２０には、多数のスリット（刃穴）２ａが、平坦な上壁から側壁に至る略コ字状の桟および側壁の下部で左右方向Ｙに沿って延在する桟によって画成されている。
【００２０】
そして、図３および図４に示すように、外刃２を成す各ネット刃２１〜２４およびスリット刃２０は、それぞれ専用の外刃枠２５ａ〜２５ｅに取り付けられることで、それぞれ外刃ユニット２６ａ〜２６ｅを形成している。そして、これらの外刃ユニット２６ａ〜２６ｅは、図示せぬ外刃フレームにそれぞれ独立して上下移動可能に係合され、これら外刃ユニット２６ａ〜２６ｅと外刃フレームとが一体化することで、外刃カセット５１が形成される。
【００２１】
ここで、本実施形態では、複数の外刃枠２５ａ〜２５ｅのうち第１および第４のネット刃２１、２４を固定する外刃枠２５ａ、２５ｅには、外刃２の延在方向（左右方向）Ｙと同じ方向に沿って延びるリブとしての肌ガード部材３０が取り付けられるようになっている。この肌ガード部材３０は、複数の外刃２が並設される前後方向Ｘに、外刃２と隣接して設けられるものである。
【００２２】
本実施形態では、上述の肌ガード部材３０を隣接する外刃２としての第１と第２のネット刃２１、２２間および第３と第４のネット刃２３、２４間に配置させており、このように隣り合うネット刃２１、２２（２３、２４）間に肌ガード部材３０を設けることで、隣接するネット刃２１、２２（２３、２４）間への肌の入り込みを防止して、肌当たりを良くすることができるようにしている。
【００２３】
なお、本実施形態では、隣接するネット刃２１、２２（２２、２３）間に肌ガード部材３０を設けるようにしたが、肌ガード部材３０の配置はこれに限定されない。例えば、上述の曲率半径の小さな仕上げ用のネット刃（第２および第３のネット２２、２３）が、前後方向Ｘの端部に位置する場合には、その仕上げ用のネット刃（第２および第３のネット２２、２３）のさらに外側（前後方向Ｘ外側）に肌ガード部材３０を配置させるようにしてもよい。こうすれば、肌ガード部材３０によって曲率半径の小さな仕上げ用のネット刃（第２および第３のネット刃２２、２３）に、肌が強く押し付けられるのを抑制することができる。
【００２４】
このように、本実施形態の電気かみそり１によれば、外刃２と隣接して設けられる肌ガード部材３０によって、肌へのダメージを効果的に抑制しつつ、体毛（髭）を短く剃ることができる。
【００２５】
ところで、図７に示す従来例のように、従来の肌ガード部材１３０が用いられた外刃ユニット１２６ａでは、ネット刃１２１（外刃）の延在方向（左右方向）Ｙの両側に露出する外刃枠１２５ａと、この外刃枠１２５ａに取り付けられる肌ガード部材１３０との間には、溝Ｄや段差Ｂが形成されていた。これは、肌ガード部材１３０を使用者に認識してもらうために、肌ガード部材１３０を外刃枠１２５ａとはあえて別体で形成し、この別体の肌ガード部材１３０を外刃枠１２５ａに取り付けることで、肌ガード部材１３０を目立たせるようにしていたためである。ところが、このように外刃枠１２５ａと肌ガード部材１３０との間に溝Ｄや段差Ｂがあると、電気かみそり１の使用時に使用者にごつごつ感を与えてしまい、肌当たりが良くないという不具合があった。
【００２６】
そこで、図４に示すように、本実施形態では外刃枠２５ａ（２５ｅ）の天壁面５１ａと、この外刃枠２５ａ（２５ｅ）に取り付けられる肌ガード部材３０の天壁面３５ｂとを、滑らかな曲面を含む同一面で繋げるようにしている。すなわち、外刃枠２５ａ（２５ｅ）と肌ガード部材３０とを、それぞれの天壁面５１ａ、３５ｂが同一面となるように一体成形するようにしたものである。
【００２７】
このように、本実施形態では、ネット刃２１、２４（外刃２）の延在方向Ｙ両側に露出する外刃枠２５ａ（２５ｅ）の天壁面５１ａと肌ガード部材３０の天壁面３５ｂとを同一面で繋げるようにしたので、使用者にごつごつ感を与えることなく肌当たりを良くすることができる。また、図７に示す従来例のように、肌ガード部材３０の天壁面３５ｂに段差（図７中、Ｂ１）ができなくなる点でも好適である。
【００２８】
なお、本実施形態では、外刃枠２５ａ（２５ｅ）の天壁面５１ａと肌ガード部材３０の天壁面３５ｂの上下方向Ｚ高さを一致させて面一にしたが、天壁面５１ａ、３５ｂの高さ位置は必ずしも一致させなくてよい。つまり、高さ位置の高い天壁面（例えば５１ａ）と低い天壁面（例えば３５ｂ）とを滑らかな曲面で繋げるようにすれば、同様の作用効果を得ることができる。
【００２９】
また、図４〜図６に示すように、本実施形態では肌ガード部材３０の肌接触面３５には凹凸形状４０が設けられており、これにより、肌ガード部材３０に起毛作用を付加して、体毛を効率的に起毛できるようにしている。
【００３０】
凹凸形状４０は、本実施形態では肌ガード部材３０の側壁面３５ａに設けられる。この側壁面３５ａは、肌ガード部材３０における電気かみそり１の前後方向Ｘ両側の側壁面のうち、第１および第４のネット刃２１、２４に面しない側の側壁面３５ａである。すなわち、側壁面３５ａは電気かみそり１の前後方向Ｘに露出するとともに、電気かみそり１の使用時に肌と接触する肌接触面３５の一部であり、このように凹凸形状４０の凸部４０ａ（凹部４０ｂ）を水平（本実施形態では前後方向Ｘ）に凸設（凹設）することで、体毛を効果的に起毛できるようにしている。
【００３１】
また、上述したように本実施形態では、第１のネット刃２１に取り付けられる第１の肌ガード部材３０ａと、第４のネット刃２４に取り付けられる第２の肌ガード部材３０ｂの二つの肌ガード部材３０が用いられている。これら二つの肌ガード部材３０ａ、３０ｂは、図２および図３に示すように、それぞれの凹凸形状４０が互いに向かい合わせて配置されるようになっており、この二つの肌ガード部材３０ａ、３０ｂ間に、残りの外刃２である第２のネット刃２２、スリット刃２０、第３のネット刃２３が配置される。このように、本実施形態では二つの肌ガード部材３０ａ、３０ｂの凹凸形状４０を対向配置させているので、電気かみそり１の使用時に、前後方向Ｘの一方方向と他方方向のいずれの方向に移動させても、凹凸形状４０によって起毛させることができる。
【００３２】
また、凹凸形状４０は、本実施形態では肌ガード部材３０の延在方向（左右方向）Ｙに沿って波状に湾曲した形となっている。そして、この波状の凹凸形状４０は、延在方向（左右方向）Ｙに沿って連続的に設けられ、延在方向Ｙの両端部が外刃２（第１および第４のネット刃２１、２４）の延在方向（左右方向）Ｙの長さと略同じ位置まで延びている。
【００３３】
また、図６に示すように、本実施形態の肌ガード部材３０は、前後方向Ｘに沿う断面視で、凹凸形状４０が設けられる側壁面３５ａと天壁面３５ｂとのなす角度が鋭角となるように形成されている。すなわち、肌ガード部材３０は、当該肌ガード部材３０の天壁面３５ｂ（図中上方）に向かって斜めに立ち上がるテーパ状に形成されており、このように肌ガード部材３０を断面テーパ状とすることで、先細り状となった先端部分を肌に接触させ易く（食い込ませ易く）して、寝ている（起毛角の小さい）体毛をより効果的に起立させることができるようにしている。
【００３４】
以上の構成により、本実施形態の電気かみそり１では、ネット刃２１、２４（外刃２）の延在方向（左右方向）Ｙの両側に露出する外刃枠２５ａ（２５ｅ）の天壁面５１ａと、リブとしての肌ガード部材３０の天壁面３５ｂとを、滑らかな曲面を含む同一面で繋げるようにしている。そのため、使用者に溝や段差によってごつごつ感を与えるのを抑制でき、肌当たりを良くすることができる。
【００３５】
また、本実施形態では、外刃２と隣接して設けられるリブとしての肌ガード部材３０が肌接触面３５に凹凸形状４０を備えるので、当該凹凸形状４０によって体毛（髭）を効率的に起こすことができるようになる。その結果、起立させた体毛の外刃２（刃穴２ａ）への導入率を高めることができるようになり、体毛をより速やかに短く剃ることができる。
【００３６】
さらに、このように本実施形態の肌ガード部材３０は、肌接触面３５に凹凸形状４０を備えるので、外刃枠２５ａ（２５ｅ）とこの外刃枠２５ａ（２５ｅ）に取り付けられる肌ガード部材３０とを一体成形しているにもかかわらず、凹凸形状４０によって肌ガード部材３０を目立たせて、使用者に認識してもらうことができるという利点がある。
【００３７】
また、本実施形態では、電気かみそり１（かみそり本体３）の刃面４ａが、前後方向（外刃の延在方向と直交する直交方向）Ｘに並設される複数の外刃２によって形成されており、リブとしての肌ガード部材３０を、隣り合う外刃２としての第１と第２のネット刃２１、２２間および第３と第４のネット刃２３、２４間に配置している。そのため、隣接する外刃２（第１と第２のネット刃２１、２２、第３と第４のネット刃２３、２４）間に肌が入り込むことを肌ガード部材３０によって防止でき、使用者に痛みを与えるのを抑制して肌当たりを良くすることができる。
【００３８】
さらに、本実施形態では、凹凸形状４０を前後方向Ｘに露出した肌ガード部材３０の側壁面３５ａに形成している。そのため、電気かみそり１をスライドさせることで、凹凸形状４０を体毛（髭）の基端側へ潜り込ませることができ、体毛を起こし易くすることができる。
【００３９】
さらにまた、本実施形態の肌ガード部材３０は、肌接触面３５としての側壁面３５ａに凹凸形状４０がそれぞれ設けられた第１の肌ガード部材３０ａ（第１のリブ）および第２の肌ガード部材３０ｂ（第２のリブ）を備えており、これら第１と第２の肌ガード部材３０ａ、３０ｂの凹凸形状４０を互いに向かい合わせて配置させるとともに、これら第１と第２の肌ガード部材３０ａ、３０ｂ間に、少なくとも一つの外刃２（例えば、第２のネット刃２２）を配置している。そのため、電気かみそり１の使用時に、前後方向Ｘの一方方向と他方方向のいずれの方向に移動させても、凹凸形状４０によって起毛させることができるとともに、起立した体毛をこれら第１と第２の肌ガード部材３０ａ、３０ｂ間に配置された外刃２（例えば第２のネット刃２２）に導入することで、速やかに体毛（髭）を短く剃ることができる。さらに、第１の肌ガード部材３０ａと第２の肌ガード部材３０ｂとの間に位置する肌が、電気かみそり１をスライドさせることで皮膚がひっぱられるようにして持ち上がるため、肌に沿って寝ている体毛を起こし易くすることができるという利点がある。
【００４０】
また、本実施形態では、上述の第１と第２の肌ガード部材３０ａ、３０ｂ間に配置される外刃２としてスリット刃２０を用いている。ここで、スリット刃２０は、外刃２を成す第１〜第４のネット刃２１〜２４およびスリット２０のうちで一番体毛の導入率の高い刃である。このように、本実施形態では第１と第２の肌ガード部材３０ａ、３０ｂ間に導入率の高いスリット刃２０を配置したので、起立させた体毛の外刃２への導入率をより高めることができる。なお、本実施形態では、第１と第２の肌ガード部材３０ａ、３０ｂ間に３つの外刃２（第２のネット刃２２、スリット刃２０、第３のネット刃２３）を配置するようにしたが、上述したスリット刃２の効果を最大に得るためには、第１と第２の肌ガード部材３０ａ、３０ｂ間には、スリット刃２０のみを設けるのが好適である。
【００４１】
さらに、本実施形態では、肌ガード部材３０を前後方向Ｘに沿う断面視で、凹凸形状４０が設けられる側壁面３５ａと天壁面３５ｂとのなす角度が鋭角となるように形成している。そのため、先細り状となった先端部分を肌に接触させ易く（食い込ませ易く）することができ、寝ている（起毛角の小さい）体毛をより効果的に起毛することができる。
【００４２】
さらにまた、本実施形態では、凹凸形状４０を肌ガード部材３０の延在方向に沿って波状に形成している。そのため、凹凸形状４０の開口（凹部４０ｂ）を比較的広くとることができ、これにより、この開口によって体毛（髭）を起毛させることができつつ、肌ガード部材４０の剛性を高くできるという効果がある。
【００４３】
以上、本発明の好適な実施形態について説明したが、本発明は上記実施形態には限定されず、種々の変形が可能である。
【符号の説明】
【００４４】
１      電気かみそり
２      外刃
３      かみそり本体
４ａ    刃面
２０    スリット刃（外刃）
２１    第１のネット刃（外刃）
２２    第２のネット刃（外刃）
２３    第３のネット刃（外刃）
２４    第４のネット刃（外刃）
３０    肌ガード部材（リブ）
３５ｂ  天壁面
５１    外刃カセット
５１ａ  天壁面
Ｘ    前後方向（外刃の延在方向と直交する直交方向）
Ｙ    左右方向（外刃の延在方向）
Ｚ    上下方向（直交方向と垂直な方向）
【図１】
2012100869.tif 000003
【図２】
2012100869.tif 000004
【図３】
2012100869.tif 000005
【図４】
2012100869.tif 000006
【図５】
2012100869.tif 000007
【図６】
2012100869.tif 000008
【図７】
2012100869.tif 000009